(57)【特許請求の範囲】
【請求項１】
竹竿を並べた外観を有する合成樹脂製パネル本体を、横桟と縦桟により組まれた枠体に固定してパネルユニットを構成し、
支柱の側面にブラケットを取付け、該ブラケットにパネルユニットの横桟を支持させることにより、複数枚のパネルユニットを上下、左右に並べて配置する構造を有し、
第１のパネルユニットの上に第２のパネルユニットを配置し、第３のパネルユニットと第４のパネルユニットをそれぞれ第１、第２のパネルユニットの側方に隣接させ、これらのパネルユニットのうち、第１、第２のパネルユニットの横桟を第３、第４のパネルユニットとの突き合わせ部近傍において支柱により支持させ、
下部と中間部にねじ付け部を有し、上部に受部を有する３ユニット接続用ブラケットを用い、
該３ユニット接続用ブラケットの下部を第３のパネルユニットの端部の上部にねじ付けし、前記第３のパネルユニットの中間部を第２のパネルユニットの端部の縦桟の下部にねじ付けし、前記第３のパネルユニットの上部の受部に、第４のパネルユニットの端部の縦桟の下部に固定した掛け用ブラケットを係止させることにより、第３、第４のパネルユニットの端部を第１、第２のパネルユニットに結合した
ことを特徴とする合成樹脂製竹垣。
【請求項２】
竹竿を並べた外観を有する合成樹脂製パネル本体を、横桟と縦桟により組まれた枠体に固定してパネルユニットを構成し、
支柱どうしの対向面に、パネルユニット端部との嵌合部を有するパネルユニットの取付け部を設け、
該取付け部にパネルユニットの受けブラケットを取付け、
該取付け部の前記嵌合部に、パネルユニットの端部の縦桟の嵌合部を嵌め込み、かつ前記受けブラケットに、パネルユニットの端部の縦桟に取付けた掛けブラケットを係止させ、該縦桟の上部に固定したブラケットを、前記取付け部にねじ付けしてパネルユニットを支柱に取付け、
パネルユニットの縦桟の上部に固定する前記ブラケットに、該パネルユニットの上段に配置するパネルユニットを係止する受部を設けて中間ブラケットとし、
該上段に配置するパネルユニットの縦桟の下部に取付けた掛けブラケットを、前記中間ブラケットの受部に掛けて上段のパネルユニットの端部を固定した
ことを特徴とする合成樹脂製竹垣。
【発明の詳細な説明】
【０００１】
【発明の属する技術分野】
本発明は、竹竿を並べた外観を有する合成樹脂製パネル本体を、横桟と縦桟により組まれた枠体に固定してパネルユニットを構成し、該パネルユニットを支柱に固定してなる合成樹脂製竹垣に関する。
【０００２】
【従来の技術】
料亭や庭園等には、日本的雰囲気をかもし出すために、竹垣が設置されることがあり、近年においては、この竹垣を合成樹脂製の材料で作製することが多い。このような竹垣として、特開平１−２７５８７５号公報においては、竹垣を構成する竹竿を１本ずつ用意するのではなく、複数本の竹竿を並べた外観を呈する合成樹脂製のパネル本体を作製し、該パネル本体をアルミニウム合金製押出形材等に固定してパネルを構成し、該パネルを現場で支柱に取付けることにより、施工の省力化を図ったものが提案されている。
【０００３】
【発明が解決しようとする課題】
しかし前記公報に記載のものは、支柱間にパネルユニットを設置する構造を有し、予め支柱の両側にねじを固定しておき、そのねじに、パネルユニットの端部の縦桟に設けた切り込みを係止させて仮止めし、この仮止め状態において、パネルユニットおよび支柱の両側から取付け用金具を当接させてパネルユニットと支柱をこれらの取付け金具で挟み、該両側の取付け金具と支柱およびパネルユニットの縦桟にボルトを貫通してナットに螺合させて締め付けるより、パネルユニットを支柱に固定する構造を有するため、パネルユニットの取付け作業に手間がかかるという問題点がある。
【０００４】
本発明は、上記した問題点に鑑み、竹垣をパネルユニット化して支柱へ取付ける構造の合成樹脂製竹垣において、パネルユニットの施工が容易となる構造のものを提供することを目的とする。
【０００５】
【課題を解決するための手段】
この目的を達成するため、本発明は、竹竿を並べた外観を有する合成樹脂製パネル本体を、横桟と縦桟により組まれた枠体に固定してパネルユニットを構成し、
支柱の側面にブラケットを取付け、該ブラケットにパネルユニットの横桟を支持させることにより、複数枚のパネルユニットを上下、左右に並べて配置する構造を有し、
第１のパネルユニットの上に第２のパネルユニットを配置し、第３のパネルユニットと第４のパネルユニットをそれぞれ第１、第２のパネルユニットの側方に隣接させ、これらのパネルユニットのうち、第１、第２のパネルユニットの横桟を第３、第４のパネルユニットとの突き合わせ部近傍において支柱により支持させ、
下部と中間部にねじ付け部を有し、上部に受部を有する３ユニット接続用ブラケットを用い、
該３ユニット接続用ブラケットの下部を第３のパネルユニットの端部の上部にねじ付けし、前記第３のパネルユニットの中間部を第２のパネルユニットの端部の縦桟の下部にねじ付けし、前記第３のパネルユニットの上部の受部に、第４のパネルユニットの端部の縦桟の下部に固定した掛け用ブラケットを係止させることにより、第３、第４のパネルユニットの端部を第１、第２のパネルユニットに結合した
ことを特徴とする（請求項１）。
【０００６】
また、本発明は、竹竿を並べた外観を有する合成樹脂製パネル本体を、横桟と縦桟により組まれた枠体に固定してパネルユニットを構成し、
支柱どうしの対向面に、パネルユニットとの嵌合部を有するパネルユニットの取付け部を設け、
該取付け部にパネルユニットの受けブラケットを固定し、
該取付け部の前記嵌合部に、パネルユニットの端部の縦桟の嵌合部を嵌め込み、かつ前記受けブラケットに、パネルユニットの端部の縦桟に取付けた掛けブラケットを係止させ、該縦桟の上部に固定したブラケットを、前記取付け部にねじ付けしてパネルユニットを支柱に取付け、
パネルユニットの縦桟の上部に固定する前記ブラケットに、該パネルユニットの上段に配置するパネルユニットを係止する受部を設けて中間ブラケットとし、
該上段に配置するパネルユニットの縦桟の下部に取付けた掛けブラケットを、前記中間ブラケットの受部に掛けて上段のパネルユニットの端部を固定した
ことを特徴とする（請求項２）。
【０００７】
【作用】
請求項１においては、支柱の側面にブラケットを固定し、該ブラケットにパネルユニットの横桟を支持させることにより、複数枚のパネルユニットを左右に並べて配置する構造（フリーポール方式）としたので、地中に障害物が存在する等の理由により、支柱の間隔を変化させても、パネルユニットの取付けが可能となり、支柱の設置が容易となる。また、３ユニット接続用ブラケットが、第２、第３のパネルユニットの結合と、第３、第４のパネルユニットの結合に用いられるため、少ない数のブラケットによってパネルユニットが結合できる。
【０００８】
請求項２においては、支柱のパネルユニット取付け部に設けた受けブラケットに、パネルユニットの縦桟に設けた掛けブラケットを係止することにより、パネルユニットが支柱に支持され、取付け部に設けた嵌合部に、パネルユニットの縦桟の嵌合部を嵌め込むことにより、パネルユニットの前後左右の移動が阻まれ、縦桟の上部に固定したブラケットを、前記取付け部にねじ付けすることにより、上方への抜け出しが防止されてパネルユニットが支柱に固定される。
【０００９】
また、パネルユニットの縦桟の上部に設けた固定用ブラケットを、上部に受部を有する中間ブラケットとしたので、該中間ブラケットが上段のパネルユニットの受けブラケットに兼用される。
【００１０】
【発明の実施の形態】
図１は本発明による合成樹脂製竹垣の一実施例のパネルユニットの取付構造を示す正面図で、パネル本体の図示を省略している。図２（Ａ）、（Ｂ）はそれぞれ本実施例の合成樹脂製竹垣の平面図、正面図である。
【００１１】
図１、図２において、１はアルミニウム合金製あるいは合成樹脂製押出形材からなる支柱であり、地中に施工されたコンクリート製基礎２に根本部が埋め込まれて立設される。
【００１２】
３ａ〜３ｄはパネルユニットであり、各パネルユニット３ａ〜３ｄは、上桟４と下桟５と必要に応じて１本以上設ける中横桟６からなる横桟と、その両端にねじ結合する縦桟７によって枠体を構成し、該枠体に、図３（Ａ）に示すように、半割りの縦向きの竹竿を横に並べた外観を有する合成樹脂製パネル本体８を、工場においてねじ９等によって固定するかあるいは接着することにより、一体化されたユニットとして構成されたものである。本例においては、支柱１の片側にのみパネルユニット３ａ〜３ｄを設けた例について示しているが、両側に取付ける場合もある。
【００１３】
図４（Ａ）に示すように、パネル本体８の外面には、ねじ１１により押し竹１０がねじ１１の先端を横桟４〜６にねじ込んで取付けられるが、この押え竹１０も予め工場において固定しておく。
【００１４】
図５（Ａ）に示すように、支柱１の下部には金属製あるいは合成樹脂製の下部ブラケット１２がねじ１３により取付けられる。そして、図２（Ｂ）における左側下部のパネルユニット（第１のパネルユニット）３ａの下桟５の左右はそれぞれ該下部ブラケット１２に嵌めて支持される。また、右側下部のパネルユニット（第３のパネルユニット）３ｃの下桟５の右側も最も右側の支柱１に取付けた下部ブラケット１２に取付けられる。
【００１５】
また、図４（Ｂ）に示すように、第１のパネルユニット３ａの上桟４の左右端部近傍は、先端に下方への突出部１５ａを有しかつねじ１４により支柱１の側面に固定される中間ブラケット１５により、抱持されて固定され、第３のパネルユニット３ｃの上桟４の右側端部近傍も同様に最右端の支柱１に取付けられる中間ブラケット１５により固定される。
【００１６】
図４（Ｂ）に示すように、該中間ブラケット１５には、上面部先端に上方への突出部１５ｂを有することにより、上方に隣接するパネルユニット３ｂ（第２のパネルユニット）、３ｄ（第４のパネルユニット）の受部１５ｃを形成する。そして、図４（Ｃ）に示すように、該中間ブラケット１５の受部１５ｃに第２のパネルユニット３ｂ、第４のパネルユニット３ｄの下桟５を嵌め込んで支持させる。
【００１７】
このように、中間ブラケット１５を、下段のパネルユニット３ａ、３ｃの上桟４の固定と、上段のパネルユニット３ｂ、３ｄの下桟５の固定用ブラケットとして兼用可能とすることにより、取付け用ブラケットの数が少なくなり、工数や部品点数が低減される。
【００１８】
図５（Ｂ）に示すように、第２のパネルユニット３ｂと第４のパネルユニット３ｄの上桟４は、支柱１の頂部にねじ１６により固定される上部ブラケット１７のＬ字状の延出部１７ａにより把持されて固定される。
【００１９】
次にパネルユニット３ａ〜３ｄの左右に隣接するものどうしの結合について説明する。図６（Ａ）は下段のパネルユニット３ａ、３ｃの上部と、上段のパネルユニット３ｂ、３ｄの左右の突き合わせ部の結合構造を示す分解斜視図、図６（Ｂ）は下段のパネルユニット３ａ、３ｃの左右の突き合わせ部の結合構造を示す分解斜視図である。
【００２０】
図６（Ｂ）に示すように、左右に隣接するパネルユニット３ａ、３ｃのうち、パネルユニット３ａの縦桟７、すなわち、パネルユニット３ａ、３ｃの突き合わせ部近傍において、横桟４、５が支柱１により支持される側のパネルユニット３ａの側面の縦桟７に受けブラケット２０をねじ２１により取付け、該受けブラケット２０に、他方のパネルユニット３ｃの対向する端部の縦桟７にねじ２２により掛けブラケット２３を取付け、図７（Ａ）に示すように、掛けブラケット２３を受けブラケット２０に係止させることにより、該他方のパネルユニット３ｃの端部を一方のパネルユニット３ａに支持させる。なお、受けブラケット２０や掛けブラケット２３は、パネルユニット３ａ、３ｃの高さ方向の寸法に応じて中間部や上部にも設けてもよい。
【００２１】
また、パネルユニット３ａ〜３ｄの結合には３ユニット接続用ブラケット２５を用いる。該第３のパネルユニット２５は、下部ａと中間部ｂにねじ付け部を有し、上部ｃに受部を有する。そして、まず、第１、第２のパネルユニット３ａ、３ｂを支柱１に取付けておき、第３、第４のパネルユニット３ｃ、３ｄの取付けの際に、第３のパネルユニット３ｃに該ブラケット２５の下部ａをねじ２６により固定しておき、該第３のパネルユニット３ｃの第１のパネルユニット３ａの反対側を支柱１の下部ブラケット１２に支持させておき、図７（Ａ）に示したように、第１のパネルユニット３ａの受けブラケット２０に第３のパネルユニット３ｃの掛けブラケット２３を係止して支持させ、図３（Ａ）に示すように、第１のパネルユニット３ａの縦桟７に設けた雄型（または雌型）嵌合部３０を、第３のパネルユニット３ｃの縦桟７に設けた雌型（または雄型）嵌合部３１に嵌合し、該３ユニット接続用ブラケット２５の中間部のねじ付け部ｂを第２のパネルユニット３ｂの側面の縦桟７の下部にねじ２９により固定する。
【００２２】
その後、前記３ユニット接続用ブラケット２５の上部の受部ｃに、第４のパネルユニット３ｄの端部の縦桟７の下部にねじ２７により固定した掛けブラケット２８を係止させることにより、第３、第４のパネルユニット３ｃ、３ｄの支柱に支持されない側の端部を第１、第２のパネルユニット３ａ、３ｂに結合して支持させる。図１に示すように、第２、第４のパネルユニット３ｂ、３ｄの上桟４、４どうしは、図３（Ｂ）に示すように、頂部結合用ブラケット３３の両端のコ字形をなす部分を上桟４、４に嵌合し、ねじ３４によってブラケット３３を上桟４、４に固定することにより、第２、第４のパネルユニット３ｂ、３ｄの上部を結合する。
【００２３】
このように、１つのブラケット２５で３枚のパネルユニット３ｂ〜３ｄの結合を可能とすることにより、部品点数の低減と、工数の低減が可能となる。
【００２４】
上記実施例においては、上下２段にパネルユニットを配置した例を示したが、一段構成の場合にも受けブラケット２０と掛けブラケット２３の係合構造を採用することができる。その場合には、パネルユニット３ａの上桟４を上部ブラケット１７により固定し、両ブラケット３ａ、３ｃの上桟４、４間を頂部結合用ブラケット３３とねじ３４により結合する。
【００２５】
図８（Ａ）、（Ｂ）は、それぞれ、支柱１間に枠体を取付ける構造についての本発明の実施例を示す正面図、平面図である。３はそれぞれパネルユニットであり、該パネルユニットは、図９に示すように、前記実施例と同様に上桟４、下桟５、中横桟６と、左右の縦桟７とにより枠体を構成し、該枠体にパネル本体８を固定したものである。
【００２６】
本実施例においては、図８（Ｃ）の斜視図に示すように、支柱１どうしの対向面にパネルユニットの取付け部３５を別部材により構成し、（支柱１と一体に取付け部３５を形成してもよい）、該取付け部３５をねじ３６により固定し、該取付け部３５にパネルユニット３の受けブラケット３７をねじ３８により固定し、該受けブラケット３７に、パネルユニット３の端部の縦桟７にねじ４０により取付けた掛けブラケット３９を係止させることにより、パネルユニット３の端部を支持させたものである。また、パネルユニット３の縦桟７の上部には、固定用のブラケット４１をねじ４２により固定し、該ブラケット４１を前記取付け部３５にねじ４３により固定する。
【００２７】
本実施例においては、予め支柱１を前記コンクリート基礎２に固定しておき、かつ取付け部３５の下部に受けブラケット３５を取付け、パネルユニット３の縦桟７の下部、上部にそれぞれ掛けブラケット３９、固定用ブラケット４１を取付けておき、取付け部３５の嵌合部４４に、縦桟７の嵌合部４５を上方からの落し込みにより図１１（Ａ）のように嵌合し、図１０（Ａ）に示すように、受けブラケット３７に掛けブラケット３９を係止させると共に、固定用ブラケット４１を取付け部３５にねじ４２によって固定することにより取付けられる。
【００２８】
本実施例によれば、パネルユニット３の落し込みによって支柱１間へのパネルユニット３の装着が行えるため、取付けが容易、迅速に行える。
【００２９】
なお、図１１（Ｂ）に示すように、コンクリートブロック４６に支柱１の根本部１ａを嵌合するもの等においては、パネルユニット３の左右の縦桟７の嵌合部４５を取付け部３５の嵌合部４４に横から嵌めてねじ付けした後、支柱１の根本１ａをコンクリートにより固定するようにしてもよい。
【００３０】
図１２は本発明の他の実施例を示す正面図であり、支柱１間に上下２段にパネルユニット３ｅ、３ｆを重ねて取付けたものである。この実施例においては、図１３（Ａ）に示すように、支柱１に設ける取付け部３５をパネルユニットの段数分だけ用意し、図１３（Ｂ）に示すように、パネルユニット３ｅの縦桟７の上部にねじ４２により取付けるブラケット４１に、パネルユニット３ｅの上段に配置するパネルユニット３ｆにねじ５０により固定した掛けブラケット５１を係止する受部４１ａを設けて中間ブラケットとしたものである。本実施例によれば、ブラケット数の低減と、工数の低減により、パネルの取付けが容易となる。
【００３１】
以上本発明の実施例を、パネルユニットが上下１段または２段、左右に２枚の例について説明したが、本発明においては、このパネルユニットの取付け数はこの例に限定されないことはいうまでもない。
【００３２】
【発明の効果】
請求項１によれば、支柱の側面にブラケットを固定し、該ブラケットにパネルユニットの横桟を支持させるようにしたので、フリーポール方式によるパネルユニットの取付けが可能となり、現場の状況に応じた支柱の設置が可能となり、竹垣の施工が容易となる。
【００３３】
また、３ユニット接続用ブラケットが、第２、第３のパネルユニットの結合と、第３、第４のパネルユニットの結合に用いられるため、少ない数のブラケットによってパネルユニットが結合でき、ブラケット数の低減と工数の低減が可能となり、竹垣の施工が容易となる。
【００３４】
請求項２によれば、支柱に設けた取付け部に受けブラケットを設け、該受けブラケットにパネルユニットの縦桟に設けた掛けブラケットを係止することにより、パネルユニットを支柱に支持させると共に、取付け部に設けた嵌合部に、パネルユニットの端部の縦桟の嵌合部を嵌め込む構造としたので、パネルユニットの前後左右の移動が阻まれ、また、縦桟の上部に固定したブラケットを、前記受け部にねじ付けすることにより、上方への抜け出しが防止されるようにしたので、パネルユニットが支柱に容易かつ強固に固定される。
【００３５】
また、パネルユニットの縦桟の上部に固定するブラケットを、上部に受部を有する中間ブラケットとしたので、該中間ブラケットが上段のパネルユニットの受けブラケットに兼用され、ブラケット数の低減と、工数の低減が可能となり、竹垣の施工が容易となる。
【図面の簡単な説明】
【図１】  本発明による合成樹脂製竹垣の一実施例のパネルユニットの取付構造を、パネル本体の図示を省略して示す正面図である。
【図２】  （Ａ）、（Ｂ）はそれぞれ本実施例の合成樹脂製竹垣の平面図、正面図である。
【図３】  （Ａ）は本実施例のパネルユニットの突き合わせ部を示す平面図、（Ｂ）は本実施例のパネルユニットの突き合わせ部の頂部の結合構造を示す斜視図である。
【図４】  （Ａ）は本実施例のパネルユニットを施工の途中の状態で示す斜視図、（Ｂ）は支柱への本発明による中間ブラケットの取付け状態を示す斜視図、（Ｃ）は該中間ブラケットと横桟との結合構造を示す斜視図である。
【図５】  （Ａ）は本実施例における受けブラケットの取付け構造を示す分解斜視図、（Ｂ）は本実施例の上部ブラケットの取付け構造を示す斜視図である。
【図６】  （Ａ）、（Ｂ）は本実施例における上下パネルユニットの結合構造と、下部の左右のパネルユニットの結合構造をそれぞれ示す分解斜視図である。
【図７】  （Ａ）、（Ｂ）は本実施例における下部の左右のパネルユニットの結合構造と、上下パネルユニットの結合構造をそれぞれ示す断面図である。
【図８】  （Ａ）は本発明による竹垣の他の実施例を示す正面図、（Ｂ）はその平面図、（Ｃ）は本実施例のパネルユニットの支柱への取付け構造を示す分解斜視図である。
【図９】  図８の実施例におけるパネルユニットと支柱の構成を示す分解斜視図である。
【図１０】  （Ａ）、（Ｂ）は図８の実施例におけるパネルユニットの下部の支柱への結合構造と、パネルユニットの上部の支柱への結合構造をそれぞれ示す断面図である。
【図１１】  （Ａ）は図８の実施例の支柱とパネルユニットとの結合構造を示す平面図、（Ｂ）は本実施例において支柱をコンクリートブロックに取付けた状態を示す斜視図である。
【図１２】  本発明による竹垣の他の実施例を示す正面図である。
【図１３】  （Ａ）は図１２の実施例の支柱の構造を示す斜視図、（Ｂ）は本実施例において上下のパネルユニット間の結合構造を示す断面図である。
【符号の説明】
１：支柱、２：コンクリート基礎、３、３ａ〜３ｆ：パネルユニット、４：上桟、５：下桟、６：中横桟、７：縦桟、８：パネル本体、１０：押え竹、１２：下部ブラケット、１５：中間ブラケット、１７：上部ブラケット、２０：受けブラケット、２３：掛けブラケット、２５：３ユニット接続用ブラケット、３０、３１：嵌合部、３３：頂部結合用ブラケット、３５：取付け部、３７：受けブラケット、３９：掛けブラケット、４１：固定用ブラケット、４１ａ：受部、４４、４５：嵌合部、４６：コンクリートブロック、５１：掛けブラケット
【図１】
0003756276.tif 000002
【図２】
0003756276.tif 000003
【図３】
0003756276.tif 000004
【図４】
0003756276.tif 000005
【図５】
0003756276.tif 000006
【図６】
0003756276.tif 000007
【図７】
0003756276.tif 000008
【図８】
0003756276.tif 000009
【図９】
0003756276.tif 000010
【図１０】
0003756276.tif 000011
【図１１】
0003756276.tif 000012
【図１２】
0003756276.tif 000013
【図１３】
0003756276.tif 000014